(57)【要約】【課題】建造物の垂直な外壁面に沿って上下左右に移動可能で、外壁面の任意の位置に安定性よく設置することのできる汎用性と施工性、利便性に優れた外部足場装置の提供。【解決手段】複数の層階をもって建造される建造物２の垂直な外壁面３に足場ユニット４０を段階的に上昇させる外部足場装置１０で、建造物２の所定の複数層階の高さの足場２０と、足場２０の下部に一体に組み付けられた架台フレーム３０とで構成された足場ユニット４０を、建造物２に仮設されたタワークレーン７０で吊り上げて、建造物外壁面３に着脱可能に固定した架台支持部材５０に架台フレーム３０を係合させ、架台フレーム３０と外壁面３の間隔をストッパー手段３７で規制して、建造物２に足場ユニット４０を施工する。【選択図】　　　図１
2004052455.tif 000002
【特許請求の範囲】
【請求項１】
建造物の外壁面に設置される外部足場装置であって、
前記建造物の所定の複数層階の高さを有する複数層階用足場及びこの足場の建造物外壁面側の内側に着脱可能に連結されて足場を一体に支持する架台フレームを有する足場ユニットと、
前記建造物外壁面の所定個所に着脱可能に取付けられ、前記架台フレームを着脱可能に係合して前記足場ユニットを吊下げ支持する架台支持部材とを具備し、前記建造物外壁面での架台支持部材の取付位置を移動させて前記足場ユニットを移動させるようにしたことを特徴とする外部足場装置。
【請求項２】
前記足場ユニットの移動時に、この足場ユニットを前記建造物に仮設した足場駆動手段で吊下げ支持することを特徴とする請求項１記載の外部足場装置。
【請求項３】
前記架台フレームは、上端部に前記架台支持部材に着脱可能に係合する係合手段を有し、下部に前記建造物外壁面に当接して架台フレーム下部と外壁面との間隔を規制するストッパー手段を有することを特徴とする請求項１記載の外部足場装置。
【請求項４】
前記建造物外壁面の所定の複数箇所に前記架台支持部材を着脱可能にねじ止めする取付穴を形成したことを特徴とする請求項１〜３のいずれかに記載の外部足場装置。
【請求項５】
建造物の外壁面に設置される外部足場装置の施工方法であって、
前記建造物の所定の複数層階の外壁面の高さを有する複数層階用足場及びこの足場の建造物外壁面側の内側に着脱可能に連結されて足場を支持する架台フレームを有する足場ユニットと、前記建造物外壁面の所定個所に着脱可能に取付けられ、前記架台フレームを着脱可能に係合して前記足場ユニットを吊下げ支持する架台支持部材と、前記建造物外壁面の所定の複数箇所に形成されて、前記架台支持部材を着脱可能にねじ止めする取付穴と、前記建造物に仮設されて前記足場ユニットを吊下げ支持して移動させる足場駆動手段を備え、
前記足場ユニットの足場の上部と対峙する建造物外壁面に新たに取付穴を形成する工程と、この新たに形成された取付穴に架台支持部材をねじ止めする工程と、前記足場駆動手段で足場ユニットを支持する工程と、足場駆動手段で足場ユニットを上昇させて足場ユニットの架台フレームを前記新たに形成された取付穴にねじ止めされた前記架台支持部材に係合させる工程とを含むことを特徴とする外部足場装置の施工方法。
【発明の詳細な説明】
【０００１】
【発明の属する技術分野】
本発明は、高層建造物の外壁面に沿って垂直に設置される移動式の外部足場装置に関する。
【０００２】
【従来の技術】
高層建造物の躯体工事や外壁仕上げ工事に使用される外部足場は、地面から鋼管の建枠と梁枠を組み合わせて順次建て上げていく自立型鋼製枠組足場や、この鋼製枠組足場の下面にキャスターや台車を取付けた移動式足場、或いは、建造物のベランダや廊下に組付けた内部足場を利用して建造物外壁に張り出すように組み付けられた張り出し足場が一般的である。
【０００３】
【発明が解決しようとする課題】
自立型鋼製枠組足場は、建造物の躯体工事や仕上げ工事の進行に応じて地面から一層階毎に建ち上げるために施工性が悪い。また、建造物の垂直な外壁面の全面に対峙させて足場が組み立てられるため、鋼管などの資材の量が多くなり、この大量の資材の費用や保管費が高額となる不具合や、大量の資材を使った足場組立作業および足場解体作業が手間と時間を要して、足場の施工費が高く付く。また、地面に自立する最下層階の足場だけを解体することができないため、建造物が完成段階に入って足場全体を解体するまで、建造物周囲の地面に足場スペースを確保しておく必要があり、足場解体まで建造物周囲の外構工事ができない不便がある。
【０００４】
移動式足場は、建造物の外壁面に沿って横移動することで、少ない資材で建造物の外壁面全体の躯体工事や仕上げ工事を可能にし、横移動させることで外構工事を可能にする有利さがある。しかし、移動式足場の高さが高くなるほど総重量が増えて安定性や移動性が悪くなり、高層建造物の足場に使用することが難しくて汎用性に欠ける。
【０００５】
また、張り出し足場は、建造物の一階毎の躯体工事、仕上げ工事後に上層階への移設工事を行うため、資材が少なくて済む、本発明と同様に外構工事が可能になるといった利点を有するが、建造物のベランダや内部足場を利用するため、ベランダの無い建造物や内部足場の組み付け難い建造物の外壁面に施工することが難しい。
【０００６】
本発明の目的は、建造物の垂直な外壁面に沿って上下左右に移動可能で、外壁面の任意の位置に安定性よく設置することのできる汎用性と施工性、利便性に優れた外部足場装置を提供することにある。
【０００７】
【課題を解決するための手段】
本発明は、建造物の外壁面に設置される外部足場装置であって、建造物の所定の複数層階の高さを有する複数層階用足場及びこの足場の建造物外壁面側の内側に着脱可能に連結されて足場を一体に支持する架台フレームを有する足場ユニットと、建造物外壁面の所定の個所に着脱可能に取付けられ、架台フレームを着脱可能に係合して足場ユニットを吊下げ支持する架台支持部材とを具備し、建造物外壁面での架台支持部材の取付位置を移動させて足場ユニットを移動させるようにしたことにより、上記目的を達成するものである。
【０００８】
ここで、複数層階用足場は、鋼管の建枠と梁枠を組み合わせて複数の層階に順次に建て上げた鋼製枠組足場で、既存の自立型枠組足場が適用できる。この足場に一体に組み付けられる架台フレームは、Ｌ字型などの鉄骨枠が適用される。この架台フレームに足場が一体に組み付けられ、或いは、複数層階に組み立てられた足場に架台フレームが一体に組み込まれる。足場と架台フレームの一体物である足場ユニットが、建造物の垂直な外壁面に部分的に対峙する。外壁面に着脱可能に取付けた架台支持部材に、足場ユニットの架台フレームが引掛け式に係合されて足場ユニットが建造物外壁面に対峙させて設置される。架台支持部材は、架台フレームの上部を引掛けて吊下げるハンガーブラケット、ハンバーポケットと呼ばれる鋼板製品で、支持した架台フレームをボルト止めするボルト挿通穴などを有する。建造物外壁面に取付ける架台支持部材の高さ位置を段階的に上げることで、建造物外壁面に部分的に設置される足場ユニットの高さが順に上げられる。また、建造物外壁面に取付ける架台支持部材の高さを同じにして横に順に移動させることで、建造物外壁面に部分的に設置される足場ユニットが横に順に移動する。
【０００９】
建造物外壁面に対する架台支持部材の移動と足場ユニットの移動は、建造物に並列に設置したタワークレーンや、建設敷地内外に配置したクレーン車、或いは、建造物の上部に仮設置した電動巻上ウィンチなどの足場駆動手段を使うことで、安全な作業の下で行うことができる。
【００１０】
足場ユニットにおける架台フレームは、その上端部に建造物外壁面の架台支持部材に着脱可能に係合する係合手段を有し、架台フレームの下部に架台フレーム下部と外壁面との間隔を規制するストッパー手段を有する構造にすることが望ましい。ストッパー手段は、手動で長さ調整されるジャッキ構造やターンバックル構造のもので、建造物外壁面に略平行に設置した足場ユニットが自重で縦方向に弓形に変形するのを防止して、足場ユニットの安定性を確保する。
【００１１】
また、本発明においては、建造物外壁面の所定の複数箇所に架台支持部材を着脱可能にねじ止めする取付穴を形成して、足場ユニットの移動時に取付穴に架台支持部材をねじ止めすることが望ましい。ここでの取付穴は、建造物外壁面のコンクリートに埋設された長ナットのねじ穴などで、建造物の上層階の躯体工事の段階で形成する。この種の取付穴は、架台支持部材の取付けに利用された後、最終的には建造物外壁面の仕上げ工事の段階でタイルやモルタルなどで隠されて、建造物外壁の外観を損なわない。
【００１２】
以上の本発明における外部足場装置の建造物外壁面への施工は、例えば、足場ユニットの足場の上部から建造物外壁面に新たに取付穴を形成する工程と、この新たに形成された取付穴に架台支持部材をねじ止めする工程と、建造物に仮設された足場駆動手段で足場ユニットを吊下げ支持する工程と、足場駆動手段で足場ユニットを上昇させて足場ユニットの架台フレームを建造物外壁面に新たに形成された取付穴に固定された架台支持部材に係合させる工程で行うことができる。
【００１３】
つまり、建造物の上層階の躯体工事の段階で足場ユニットを使用して建造物上層階の外壁面に取付穴を新たに形成し、この取付穴に架台支持部材を取り付ける。このときの架台支持部材は、それまで足場ユニットを建造物外壁面に取付けていた架台支持部材と別のもので、足場ユニットを上昇移動させるときには一時的に建造物外壁面に上下二段に亘り架台支持部材が設置されることになる。下段の架台支持部材に支持された足場ユニットを足場駆動手段で吊り上げるようにして支持した状態で、下段の架台支持部材から足場ユニットの架台フレームを外し、足場ユニットを足場駆動手段で上段の架台支持部材まで上昇移動させて、架台フレームを上段の架台支持部材に係合させる。足場ユニットを支持する役目を終えた下段の架台支持部材は、足場ユニットを吊り上げる際に建造物外壁面から取り外される。
【００１４】
【発明の実施の形態】
以下、本発明の実施の形態を図１乃至図１３を参照して説明する。
【００１５】
図１（Ａ）、（Ｂ）に示される外部足場装置１０は、複数の層階をもって建造される建造物２の垂直な外壁面３に上下左右に移動可能に設置されるもので、建造物の所定の複数層階の高さで組み立てられた鋼製枠組構造の足場２０と、足場２０の下部に一体に組み付けられた鉄骨製の架台フレーム３０と、架台フレーム３０と足場２０の一体物である足場ユニット４０を建造物２の外壁面３に係合させて支持する架台支持部材５０を有する。架台支持部材５０は足場ユニット４０の架台フレーム３０を引掛けて吊下げ支持するハンガーブラケットで、建造物外壁面３の所定の複数箇所に着脱可能に取付けられる。外壁面３の架台支持部材取付個所には、図１３に示すように、架台支持部材５０を着脱可能にねじ止めするための取付穴６０が形成される。また、建造途中の建造物２には、足場ユニット４０を吊下げ式に支持して上下動や左右動させる足場駆動手段のタワークレーン７０が建造物２に並列に設置される。タワークレーン７０は、通常の高層建築物の建造に使用される汎用クレーンである。
【００１６】
図１（Ａ）、（Ｂ）に示される建造物２は、５階程度以上の躯体建造が終了した建造途中の高層建築で、さらに９階、１０階と順次建て上げられる。足場２０は、建造途中の建造物２の地面から例えば５階までの高さＨ１に相当する高さの縦長の鋼製枠組構造の５層階用足場で、図４及び図５に示すように鋼管の建枠２１と作業床兼用の梁枠２２を３スパン（横方向）×９スパン（縦方向）＝５．４８７ｍ×１５．３ｍ程度の大きさに枠組して構成される。建枠２１と梁枠２２は補強腺材２３で補強される。また、足場２０の外面側には、図５に示すような保護メッシュ２５が張設してある。このような足場２０の構造と構成資材は、既存の自立型鋼製枠組足場の構造と資材がそのまま適用される。
【００１７】
鉄骨製の架台フレーム３０は、足場２０の内面側の下部を支持する縦枠部３０ａと、足場２０の下面を載せ置き式に支持する横底枠部３０ｂを有するＬ型の鉄骨枠である。縦枠部３０ａは、図４に示すように足場２０の内面側両端の建枠２１にボルトや鋼線などで着脱可能に連結される左右一対の縦鉄骨３１と、左右一対の縦鉄骨３１を連結する変形止め用横鉄骨３２と、縦鉄骨３１と横底枠部３０ｂを連結する変形止め用鉄骨３３を有する。縦鉄骨３１の上端部に係合手段３５が一体に突設される。係合手段３５は、建造物外壁面３に固定された架台支持部材５０に真上から係合されて支持されるもので、図６及び図７に示すように、架台フレーム３０上端部から建造物側に突出した張出し鉄骨３５ａと、張出し鉄骨３５ａの先端から下方に延在する係止板３５ｂを有する。架台支持部材５０上に係合手段３５が係合されると、両者の係合部分がボルト３６で離脱可能に連結される。
【００１８】
また、架台フレーム３０の左右一対の縦鉄骨３１に棒状のストッパー手段３７が突設される。ストッパー手段３７は、架台フレーム３０と建造物外壁面３との間隔を規制するジャッキで、例えば図１０に示すように長ナット構造の本体３７ａと、本体３７ａに螺装されたねじ棒３７ｂと、ねじ棒３７ｂの先端に連結された当て板３７ｃを有する。本体３７ａが架台フレーム３０の縦鉄骨３１に直交させて溶接などで固定され、本体３７ａからねじ棒３７ｂが手動で突出長さ調整自在に突出する。建造物外壁面３の架台支持部材５０に架台フレーム３０の上端の係合手段３５を係合させて架台フレーム３０を吊下げたとき、ストッパー手段３７の先端の当て板３７ｃが外壁面３に当接して、架台フレーム３０と外壁面の間隔を所定値に規制する。ストッパー手段３７は、架台フレーム３０内面の中間部と下端部の上下２段に形成される。なお、図１０と図１１は架台フレーム３０の下端部に設けたストッパー手段３７が示される。また、図１１の実線で示すストッパー手段３７と鎖線で示すストッパー手段３７’は別物で、鎖線のストッパー手段３７’については後述する。
【００１９】
建造物外壁面３に着脱可能に取付けられる架台支持部材５０は、図６〜図８に示すようなハンガーブラケットで、外壁面３に複数本のボルト５１で固定される本体板５２と、本体板５２の外面に直交させて溶接した３枚の垂直板５３と、３枚の垂直板５３の間に固定された垂直板５４と、各垂直板５３、５４に固定された水平板５５を有する。垂直板５４と本体板５２の間に矩形の係止穴５６が形成され、水平板５５に横長のボルト挿通穴５７が形成される。係止穴５６に真上から架台フレーム３０の係止板３５ｂが嵌挿されて、係合手段３５が架台支持部材５０に支持される。
【００２０】
架台支持部材５０が取付けられる建造物外壁面３の所定の箇所に形成される取付穴６０は、図９に示すような長ナット６１で形成すればよい。長ナット６１は建造物外壁面３のコンクリート６２に埋設されて、一端の取付穴６０だけがコンクリート面である外壁面３に露呈する。長ナット６１の他端からは抜け止めボルト６３が突設され、抜け止めボルト６３がコンクリート６２に埋設されて長ナット６１をコンクリート６２に強固に固定する。このような長ナット６１の建造物外壁面３への取付けは、建造物２の外壁面３に沿って足場移動させる前工程で行われる。
【００２１】
図１（Ａ）の外部足場装置１０は、８階まで建造された建造物２の１階から５階までに足場２０を設置した状態で、架台フレーム３０と足場２０の足場ユニット４０が建造物２１の外壁面３に略平行に対峙させて設置される。このときの架台フレーム３０の下面は、地面４に直置きされる。この場合、建造物２の２階部分の外壁面３に架台支持部材５０を固定し、この架台支持部材５０に真上から架台フレーム３０の上端部の係合手段３５を係合させて、足場ユニット４０を地面４から少し浮上させてもよい。また、足場ユニット４０と外壁面３の間には、ストッパー手段３７の他に各種の足場つなぎ、水平つなぎなどのつなぎ部材５が足場２０を利用して施工されて、足場ユニット４０の姿勢を安定したものにする。
【００２２】
また、図１（Ａ）の外部足場装置１０の施工は、次の手順で行われる。足場ユニット４０の足場２０を利用するなどして建造物２の２階部分（４階部分でもよい）の外壁面３に架台支持部材５０をボルト止めし、図１（Ｂ）や図５に示すように建造物２に並列に仮設したタワークレーン７０から吊下げられた吊りワイヤー７１で足場ユニット４０を垂直に吊り上げ、架台フレーム３０の係合手段３５を架台支持部材５０の真上に移動させて、そのまま足場ユニット４０を下降させて係合手段３５を架台支持部材５０に係合させる。このとき、足場ユニット４０の荷重で架台フレーム３０が外壁面３に接近するように弓形に曲がろうとするが、ストッパー手段３７が外壁面３に当接して架台フレーム３０の弓形の変形を防止し、架台フレーム３０とガイ壁面の間隔を規定値に規制して、足場ユニット４０の姿勢を安定させる。足場ユニット４０をタワークレーン７０で吊下げ支持したまま、足場２０を使ってつなぎ部材５を取付け、足場ユニット４０の最終取付けを完了してから、足場ユニット４０から吊りワイヤー７１を外す。
【００２３】
図１（Ａ）の状態で足場２０を使用して例えば建造物２の１階や２階、３階の仕上げ工事が行われ、４階や５階のコンクリート打ちなどの躯体工事が行われる。４階の躯体工事のときに、４階の外壁面３の図１（Ａ）の矢印Ｐ１で示される所定の箇所に長ナット６１を固定する。例えば図１２に示すように、外壁面３をコンクリート６２で形成するとき、コンパネの型枠６５に仮ボルト６６を貫通させて、仮ボルト６６と長ナット６１で型枠６５を挟持させておく。このとき、長ナット６１の端面と型枠６５の間に厚さ１ｃｍ程度の薄いスペーサ６７を介在させる。次に、型枠６５の内側にコンクリート６２を打設し、建造物２の１〜３階の仕上げ工事などを続行させながらコンクリート６２を一定期間養生させてから、型枠６５から仮ボルト６６を外し、型枠６５をコンクリート６２から外すと、コンクリート６２の外壁面３に長ナット６１の端面のねじ穴である取付穴６０が露呈する。取付穴６０は、スペーサ６７の作用でコンクリート詰まりなどの無い良好な状態で形成される。
【００２４】
建造物２の１階と２階の仕上げ工事が完了すると、４階に新たに形成された取付穴６０に新たな架台支持部材５０をボルト止めし、前後させて図５に示すようにタワークレーン７０で足場ユニット４０を再び吊り上げるようにして支持する。この状態でつなぎ部材５などを取外してから、図１（Ｂ）に示すようにタワークレーン７０で足場ユニット４０を建造物２の２階分の高さだけ吊り上げる。この間に建造物２の２階の架台支持部材５０から足場ユニット４０の係合手段３５が外され、２階の架台支持部材５０が外壁面３から取外される。図１（Ｂ）の状態に吊り上げられた足場ユニット４０の係合手段３５を４階に新たに設置された架台支持部材５０の真上に移動させてから、タワークレーン７０で足場ユニット４０を少し下降させて、係合手段３５を４階の架台支持部材５０に係合させ、図６のボルト３６で係合手段３５と架台支持部材５０を強固に連結する。後は図１（Ａ）の場合と同様にして、足場ユニット４０と外壁面３の間につなぎ部材５を取付けてから、足場ユニット４０からタワークレーン７０の吊りワイヤー７１を外す。このときの状態が図２に示される。
【００２５】
図２の外部足場装置１０は、建造物２の３階から７階までの外壁面３に足場ユニット４０を設置したもので、この状態で足場２０を利用して例えば３階、４階、５階の仕上げ工事が行われ、６階、７階の躯体工事が行われ、また、図２の鎖線で示すように８階の屋上に９階以上の建て上げ工事が行われる。さらに、足場ユニット４０を建造物２の３階から上の位置に移動させたことで、１階と２階が空いた状態となり、地面４に切削穴４’を工事するといった外構工事が可能となり、また、１階と２階での大形構造物の搬入搬出の工事、作業が可能となる。
【００２６】
図２の状態で足場２０を使用して建造物２の３〜５階の仕上げ工事が行われ、６階と７階の躯体工事が行われる。７階の躯体工事のときに、７階の外壁面３の図２の矢印Ｐ２で示される所定の箇所に新たに長ナット６１を固定する。そして、必要時に矢印Ｐ２の箇所に新たに架台支持部材５０を取付け、足場ユニット４０を建造物２階分の高さだけタワークレーン７０で吊り上げて、７階の架台支持部材５０に吊下げるようにする。また、図２の鎖線で示すように、建造物２が１０階まで建造されると、９階の躯体工事のときに図２の矢印Ｐ３で示す９階の外壁面３に新たに長ナット６１を固定して、ここに新たに架台支持部材５０を取付け、この架台支持部材５０に支持されるよう足場ユニット４０を建造物２階分の高さだけ上昇移動させる。
【００２７】
以上のように、建造物２が１０階以上の高層建造物であっても、５階分の足場２０を上下動させることで、全階の足場として利用できて、足場資材が低減される。また、足場２０を架台フレーム３０に組付け、架台フレーム３０を建造物２の架台支持部材５０に取付けることで、足場２０に既存の鋼製枠組足場が使用でき、足場２０を解体して自立式足場として使用することもできる。
【００２８】
また、建造物２の外壁面３に長ナット６１の取付穴６０を使用して取付けられる架台支持部材５０は、同じものが何度も繰り返し使用することができて、資材の低減と資材の管理を容易なものにする。建造物２の外壁面３に残る取付穴６０は、外壁面３の仕上げ工事の段階でタイルやモルタルで隠されるが、外壁面３に取付穴６０を露呈させたままにして、建造物外装工事の際の足場取付けに再び利用することも可能である。この再利用される取付穴６０の場合は、化粧ボルトを螺装して露呈する取付穴を塞ぎ、錆びの発生を抑制し、かつ、外観を良くしておくことが望ましい。
【００２９】
また、足場ユニット４０の縦横サイズは３スパン（横方向）×９スパン（高さ方向）に限らず、建造物２の各階の縦横サイズに対応させて任意に変更させることが可能である。建造物２の外壁面３の横サイズが６スパン、９スパンなどと大きな場合、外壁面３に沿って足場ユニット４０を横移動させるようにしてもよい。或いは、外壁面３に沿って一対の足場ユニット４０を並列に設置して、各々を段階的に上昇させるようにすることも可能である。図１１は、外壁面３に一対の足場ユニット４０、４０’を接近させて並列に配置する例が示され、この場合は、一方の足場ユニット４０のストッパー手段３７と他方の足場ユニット４０’のストッパー手段３７’の取付け高さ位置を上下にずらすことで両者が干渉しないようにして、両足場ユニット４０、４０’の安定性を確保する。
【００３０】
【発明の効果】
本発明によれば、構造物の外壁面に足場を、この足場と一体の架台フレームを外壁面の架台支持部材に着脱可能に係合させて設置するようにしたので、足場と架台フレームが相互に補強し合って足場の安定した設置が容易となり、また、外壁面に沿った足場の上下左右の移動が常に安定した状態で行うことが可能となって、信頼性の高い移動式の外部足場装置が提供できる。また、架台フレームに足場を組み付けるか、組立てられた足場を架台フレームに連結することにより、足場が既存の資材を使用して組立てられて、設備投資の少ない外部足場装置が提供できる。
【００３１】
また、構造物の建造中に外壁面に架台支持手段を取付け、使用済み架台支持手段を取り外して足場ユニットを移動させる現場施工が容易となり、足場施工と建造物施工の工期短縮が図れる。
【図面の簡単な説明】
【図１】（Ａ）は本発明の実施の形態を示す外部足場装置の側面図、
（Ｂ）は足場ユニット上昇移動時の側面図である。
【図２】足場ユニット移動後の側面図である。
【図３】図１（Ａ）の足場ユニットの拡大側面図である。
【図４】足場ユニットの内面側からの部分正面図である。
【図５】足場ユニットの上昇時の外面側からの正面図である。
【図６】図１（Ａ）の足場ユニットの部分拡大側面図である。
【図７】図６の足場ユニットの移動時の拡大側面図である。
【図８】（Ａ）は架台支持部材の正面図、
（Ｂ）は平面図である。
【図９】図８（Ａ）のＸ−Ｘ線に沿う拡大断面図である。
【図１０】図１（Ａ）の足場ユニットの部分拡大側面図である。
【図１１】図１０の足場ユニットの動作時の側面図である。
【図１２】建造物の外壁面の躯体工事時の部分断面図である。
【図１３】図１２の外壁面の別形態を示す断面図である。
【符号の説明】
２　　建造物
３　　外壁面
４　　地面
５　　つなぎ部材
１０　　外部足場装置
２０　　足場
２１　　建枠
２２　　梁枠
２３　　補強腺
２４　　足場板
２５　　保護メッシュ
３０　　架台フレーム
３０ａ　　縦枠部
３０ｂ　　横底枠部
３１　　縦鉄骨
３２　　横鉄骨
３５　　係合手段
３５ａ　　張出し鉄骨
３５ｂ　　係止板
３６　　ボルト
３７　　ストッパー手段
３７ａ　　本体
３７ｃ　　当て板
３７ｂ　　ねじ棒
４０　　足場ユニット
５０　　架台支持部材
５１　　ボルト
５２　　本体板
５３　　垂直板
５４　　垂直板
５５　　水平板
５６　　係止穴
５７　　ボルト挿通穴
６０　　取付穴
６１　　長ナット
６２　　コンクリート
６３　　ボルト
６５　　型枠
６６　　仮ボルト
６７　　スペーサ
７０　　足場駆動手段、タワークレーン
７１　　吊りワイヤー
【図１】
2004052455.tif 000003
【図２】
2004052455.tif 000004
【図３】
2004052455.tif 000005
【図４】
2004052455.tif 000006
【図５】
2004052455.tif 000007
【図６】
2004052455.tif 000008
【図７】
2004052455.tif 000009
【図８】
2004052455.tif 000010
【図９】
2004052455.tif 000011
【図１０】
2004052455.tif 000012
【図１１】
2004052455.tif 000013
【図１２】
2004052455.tif 000014
【図１３】
2004052455.tif 000015